(57)【要約】【課題】  ガラスなどの非磁性材料の冷蔵庫扉においても、安定して情報端末のホルダーを固定することができる情報端末ホルダーを提供すること。【解決手段】  本実施形態の情報端末ホルダーは、非磁性体の材料からなる冷蔵庫扉に係合する係止部と、この係止部から懸架し情報端末を保持するホルダー機構を前面に形成した本体部と、この本体部が前記冷蔵庫扉の前面に対して移動することを抑制して前記本体部を保持する保持手段とを備え、前記保持手段は、磁力を使うことなく前記本体部を前記冷蔵庫扉の前面に保持する。【選択図】図２
2014222122.tif 000002
【特許請求の範囲】
【請求項１】
非磁性体の材料からなる冷蔵庫扉に情報端末を取り付ける情報端末ホルダーにおいて、
この冷蔵庫扉に係合する係止部と、
この係止部から懸架し情報端末を保持するホルダー機構を前面に形成した本体部と、
この本体部が前記冷蔵庫扉の前面に対して移動することを抑制して前記本体部を保持する保持手段とを備え、
前記保持手段は、磁力を使うことなく前記本体部を前記冷蔵庫扉の前面に保持する情報端末ホルダー。
【請求項２】
前記係止部は、前記冷蔵庫扉の上端縁に係合し、前記保持手段を前記本体部と前記冷蔵庫扉との間に備えた請求項１に記載の情報端末ホルダー。
【請求項３】
前記保持手段は、圧力差による吸着作用を用いて前記本体部を保持する請求項２に記載の情報端末ホルダー。
【請求項４】
前記保持手段は、複数の吸盤を有するシート部材である請求項３に記載の情報端末ホルダー。
【請求項５】
前記保持手段は、摩擦力により前記本体部を保持する請求項２に記載の情報端末ホルダー。
【請求項６】
前記保持手段は、前記冷蔵庫扉の側部に係合する側部係止部である請求項１に記載の情報端末ホルダー。
【請求項７】
前記冷蔵庫扉は、回転軸の周りに回動して開閉する扉であり、前記側部係止部は前記冷蔵庫扉の左右の端縁のうち、前記冷蔵庫扉の回転軸に近い端縁に係合する請求項６に記載の情報端末ホルダー。
【請求項８】
前記冷蔵庫扉の側部に凹部を備え、前記側部係止部を前記凹部に係合して前記本体部を保持する請求項６又は７に記載の情報端末ホルダー。
【請求項９】
請求項１乃至８に記載の情報端末ホルダーを備えた冷蔵庫。
【発明の詳細な説明】
【技術分野】
【０００１】
本発明の実施形態は、情報端末を保持する情報端末ホルダー及び冷蔵庫に関する。
【背景技術】
【０００２】
情報管理のためのタブレットＰＣやスマートフォン等の情報端末を利用して、インフォメーションテクノロジーを活用した冷蔵庫が提案されている。このような冷蔵庫において、情報端末を冷蔵庫などの被取付体上に懸架するとともに、磁性材料を用いて磁力により冷蔵庫扉に固定して、台所の流し台などの平面スペースを損なわないように取り付ける情報端末ホルダーが提案されている（例えば特許文献１参照）。
【０００３】
しかし、近年の冷蔵庫は、デザイン重視のガラス面材の扉が普及してきているため、ホルダーの固定に磁性材料を使用することができず、ホルダーが落下、情報端末が破損する危険性が生じていた。
【先行技術文献】
【特許文献】
【０００４】
【特許文献１】特開２００３−３２３２３２公報
【発明の概要】
【発明が解決しようとする課題】
【０００５】
本発明は上記の問題を考慮してなされたものであり、ガラスなどの非磁性材料の冷蔵庫扉においても、安定して情報端末のホルダーを固定することができる情報端末ホルダーを提供することを目的とする。
【課題を解決するための手段】
【０００６】
上記課題を解決するために、本実施形態の情報端末ホルダーは、非磁性体の材料からなる冷蔵庫扉に係合する係止部と、この係止部から懸架し情報端末を保持するホルダー機構を前面に形成した本体部と、この本体部が前記冷蔵庫扉の前面に対して移動することを抑制して前記本体部を保持する保持手段とを備え、前記保持手段は、磁力を使うことなく前記本体部を前記冷蔵庫扉の前面に保持する。
【図面の簡単な説明】
【０００７】
【図１】本発明の第一実施形態を示す情報端末を取り付けた状態の家庭用冷蔵庫の正面図である。
【図２】図１における情報端末を保持するホルダーを示すＸ−Ｘ線断面図である。
【図３】図２に示す情報端末ホルダーの背面図である。
【図４】図２に示す情報端末ホルダーの正面図である。
【図５】本発明の第三実施形態を示す情報端末を取り付けた家庭用冷蔵庫の正面図である。
【図６】図５における情報端末を取り付けた家庭用冷蔵庫の側面図である。
【図７】図５における情報端末を保持するホルダーを示すＹ−Ｙ線断面図である。
【発明を実施するための形態】
【０００８】
以下、図面に基づき本発明の実施形態について説明する。
【０００９】
（第一実施形態）
図１は本発明の実施形態に係る情報端末ホルダー１を設置した家電商品の一例である家庭用冷蔵庫の正面図であり、図２は、図１における情報端末２を保持するホルダーの詳細を示すＸ−Ｘ線断面図である。
【００１０】
情報端末２を保持するホルダー１は、所定幅に形成した板状の合成樹脂材からなる本体部３の下端に断面円弧状の受け部４を形成して情報端末２の下面を抱持するようになし、本体部３の上端の中央部には係止部として後方へコ字状に折曲する係止フック５を一体成形により突出させ、この係止フック５を冷蔵庫扉６の上端縁に巻き込むように引っ掛けて係合させ、扉前面に懸架している。
【００１１】
前記情報端末２の使用例としては、情報端末２の表示画面部２ａに表示させた調理レシピ情報などを確認しながら、冷蔵室内の貯蔵品を取り出す。あるいは、冷蔵室内の貯蔵品を確認しながら、表示画面部２ａに表示させた食材購入リストを、指によるタッチ操作などを行って更新するなどが考えられる。なお、情報端末２は複数の機能を有し、その機能は冷蔵庫と密接に関係するものに限られず、使用者に応じて操作場所を変えるため、端末は小型でモバイル機能を有している。
【００１２】
情報端末２をホルダー１に保持した状態での情報端末２の表示画面２ａ中央部の高さ位置は、台所において主に情報端末２を使用すると考えられる２０〜５０歳女性の平均的な目の高さ位置である１４５０ｍｍ程度となるように設計するとともに、このホルダー１は、冷蔵庫の最上部に配置され、フレンチドアの最も大きな表面積を有している冷蔵庫扉６の前面中央部に配設するようにしている。
【００１３】
本体部３の裏面における上端の係止フック５から下端の受け部４にかけては薄鋼板製の補強板７を所定幅に亙って実質的に本体部３と一体に設けており、さらにこの外方である扉前面側には、ホルダー１の背面図である図３に示すように、補強板７の中央部に形成した段付きの幅狭部７ａを除いた上下の部位には、幅および高さ寸法を補強板幅より小さく設定して周縁が補強板７よりはみ出さないようにした多数の吸盤を有するシート部材８をそれぞれに配して、非磁性材料であるガラス板で形成した冷蔵庫扉６面に押し付けることで、吸盤作用により吸着するようにしており、このシート部材８の吸着力と前記係止フック５による係止力とを合わせて、ホルダー１を確実に冷蔵庫扉６面に保持するようにしている。
【００１４】
シート部材８は、表面がアクリル樹脂で形成された柔軟な樹脂層を備え、この樹脂層に微細な多数の穴を設けることで、穴が吸盤として働き、圧力差により冷蔵庫扉６に密着することができる。なお、シート部材８の材料を例示したが、材料としてはこれに限られることはなく、ポリエチレン、レーヨンなどを用いてもよい。また、シート部材８を配する位置、及びその大きさは上述した形態に限られず、情報端末２が保持される位置の後方投影領域のみにシート部材８を配する、あるいは、補強板７にサイズの小さなシート部材８を複数備えて、ホルダー１を保持するなどしてもよい。
【００１５】
吸盤作用の原理としては、面で押し付けられた場合に吸盤が元に戻ろうと弾性力が働く際に、吸盤内の空気が減圧されるため、外気と吸盤内との間に圧力差が生じ、外気から冷蔵庫扉６に向かう向きに押さえ付けられて固定される。
【００１６】
そして、本体部３の前記受け部４から情報端末２の縦寸法に対応する上部には、情報端末２を保持するためのホルダー機構として上部押圧具９を配置している。上部押圧具９は、受け部４と同様に情報端末２の上面を押圧する円弧状部９ａを有するとともに、裏面側に係合片９ｂが突出形成されている。この係合片９ｂは、本体部３に設けられた上下方向に延びるスリット状の貫通溝（不図示）を通って後方へ突出し、補強板７の幅狭部７ａの左右側方にそれぞれ１つずつ設けられ幅狭部７ａを幅方向に挟むように設けられている。このような上部押圧具９は、係合片９ｂが本体部３に設けられた貫通溝に沿って上下に案内されることで、本体部３に対して上下方向に摺動可能に設けられている。
【００１７】
係合片９ｂには孔を設けて、左右方向に延びる水平シャフト１０を挿通させており、水平シャフト１０は、前記補強板７の幅狭部７ａに形成した前方の本体部側へ折曲形成した段部７ｂによって、補強板７に対して冷蔵庫扉６の前面側に位置しており、上部押圧具９に掛かる応力を、シャフト１０を介してホルダー１とともに補強板７で受けることにより、上部押圧具９の保持強度を充分に大きくしている。
【００１８】
また、シャフト１０の両端の外側には前記係合片９ｂと同様にホルダーの裏面側に突出する係止リブ３ａを対向して形成しており、係止リブ３ａのストッパ作用によりシャフト１０の左右方向への移動を規制することで、上部押圧具９の本体部３に対する左右の位置ずれを防止している。
【００１９】
係合片９ｂの左右外方に位置するシャフト１０には引っ張りコイルバネ１１を取り付け、このバネ１１の下方端を前記下側の補強板７の幅広部の上端に係止するようにしており、ホルダーの上部押圧具９が上方に摺動移動させられた場合は、係合片９ｂとともにシャフト１０が図３中の矢印方向に引き上げられるが、バネ１１の力によりこれを下方へ戻すように付勢している。
【００２０】
このとき、本体部３の前面と上部押圧具９の裏面との接触面に、特に図示しないが、上下方向の凹溝並びに凸部を形成して係合させるようにすれば、レール作用により、左右にずれのないスムーズな上部押圧具９の上下移動をおこなうことができる。
【００２１】
上記構成により、情報端末ホルダー１を、例えば、冷蔵庫に取り付ける場合には以下のようにする。まず、ホルダー１上端を冷蔵庫扉６の上面まで持ち上げて位置を決め、コ字状の係止フック５を冷蔵庫扉６の上縁部に巻き込むように引っ掛けて懸架する。その後、本体部３を扉６の前面に押し当て、冷蔵庫扉６の前面にシート部材８を圧力差により密着させることで、上下左右および前後にずれることなく簡単に固定することができる。なお、シート部材８と冷蔵庫扉６の密着性をより高めるために、冷蔵庫扉６の前面及びシート部材８の冷蔵庫扉６に吸着する吸着面には汚れやホコリのないようきれいに拭いた後に、シート部材８を冷蔵庫扉６に押し当てることが望ましい。
【００２２】
さらに、ホルダー１に情報端末２を取り付けるときは、情報端末２本体の上部を上部押圧具９の円弧状部９ａに下方から挿入して、図２の矢印に示すように、上方に押し上げる。
【００２３】
上部押圧具９の上方移動によって上部押圧具と下方の受け部４との間隔が広がるため、この下部空間を利用して情報端末２の下端を受け部４内に押し込むことができ、円弧状の受け部４に収納させた状態で、上方移動させていた上部押圧具９を元に戻すことによって情報端末２の取り付けを完了する。
【００２４】
上部押圧具９の上方移動の際は、上部押圧具９の本体部３裏面の係合片９ｂとともにシャフト１０もバネ１１の復元力に抗して押し上げられており、情報端末２が取り付けられたときは、バネ１１の復元力による上部押圧具９の下方への押圧力と、ホルダー１下部の受け部４からの上方への抗力とによって、情報端末２は、ホルダー１の正面図である図４に示すように、ホルダー１内に上下移動なく強固に収納保持される。
【００２５】
そして、情報端末２をホルダー１から取り外す際は、上記取り付け順序とは逆に、情報端末２を把持した状態で上部押圧具９をバネ１１の弾性力に抗して上方へ押し上げた後に、その下部を受け部４から外方へ外し、次いで上部押圧具９の円弧状部９ａから取り外せばよい。
【００２６】
また、ホルダー１自体の冷蔵庫扉６からの取り外しについては、ホルダー１下部あるいは受け部４を持ってシート部材８を冷蔵庫扉６の前面から引き剥がし、ホルダー１を上方へ持ち上げて冷蔵庫扉６上端に引っ掛かっている係止フック５を外すことで、ホルダー１を取り外せばよい。
【００２７】
第一実施形態においては、冷蔵庫扉６の開閉動作により、ホルダー１が上下左右すなわち冷蔵庫扉６の前面に対して平行方向にその位置をずらそうとする力、あるいは前後方向すなわち冷蔵庫扉６前面からホルダー１が浮きあがろうとする力を受ける場合であっても、シート部材８が冷蔵庫扉６の前面に隙間なく密着しているため、ホルダー１が冷蔵庫扉６前面から大きく動いてしまうことなく、情報端末２を安定して保持することができる。また、ホルダー１を磁力によって保持していないので、冷蔵庫扉６がガラスなどの非磁性材料からなる場合であっても、安定してホルダー１及び情報端末２を保持できる。
【００２８】
係止フック５を冷蔵庫扉６の上縁部に引っ掛けて懸架しているため、時間経過などによりシート部材８の密着性が低下し、冷蔵庫扉６前面から剥がれてしまった場合であっても、係止フック５による係止力は働き続けるため、シート部材８が剥がれると同時にホルダー１が冷蔵庫扉６から落下してしまう心配がない。
【００２９】
ホルダー１が使用者の手によって任意に着脱可能であるため、ホルダー１の取り付け位置を変更したい場合に容易に取り付け位置を変更することが可能である。
【００３０】
（第二実施形態）
第一実施形態と異なる点は、保持手段として複数の吸盤を有し、圧力差による吸着作用によってホルダー１を冷蔵庫扉６前面に保持するシート部材８を用いるのではなく、高い摩擦力を有するゴムシート１２を用いてホルダー１を冷蔵庫扉６前面に保持し、冷蔵庫扉６前面に対して平行な方向への移動を抑制する点にある。
【００３１】
ゴムシート１２としては、例えば、シリコンゴムのような摩擦係数の高いゴム系の軟質材料を用い、第一実施形態におけるシート部材８と同様にして、補強板７の背面に配する。
【００３２】
これにより、ホルダー１及び情報端末２の自重によって冷蔵庫扉６前面に対して垂直方向成分の力が働くと同時に、ホルダー１と冷蔵庫扉６前面との間に大きな摩擦力が働き、この摩擦力の作用により上下左右すなわち冷蔵庫扉６の前面に対して平行な方向にずれようとする力に抗することで、ホルダー１を所定箇所に安定して保持する。また、ホルダー１を磁力によって保持していないので、冷蔵庫扉６がガラスなどの非磁性材料からなる場合であっても、安定してホルダー１及び情報端末２を保持できる。
【００３３】
係止フック５を冷蔵庫扉６の上縁部に引っ掛けて懸架しているため、時間経過などによりゴムシート１２と冷蔵庫扉６前面との密着性が低下し、大きな摩擦力が働かなくなった場合であっても、係止フック５による係止力は働き続けるため、ゴムシート１２が機能しなくなったと同時にホルダー１が冷蔵庫扉６から落下してしまう心配がない。
【００３４】
ホルダー１が使用者の手によって任意に着脱可能であるため、ホルダー１の取り付け位置を変更したい場合に容易に取り付け位置を変更することが可能である。
【００３５】
（第三実施形態）
上述した実施形態と異なる点は、保持手段として吸着作用や大きな摩擦力を発揮するシート部材８やゴムシート１２ではなく、側部係止フック１４でホルダー１を冷蔵庫扉６の前面に対して平行な方向への移動を抑制する点にある。
【００３６】
第三実施形態を示す情報端末を取り付けた家庭用冷蔵庫の正面図である図５及びその側面図である図６に示すように、冷蔵庫扉６の回転軸１５ａに近い側部である右側部にはあらかじめ所定幅に亘る凹部１３を設けておき、本体部３の上端の中央部には後方へコ字状に折曲する係止フック５を一体成形により突出させ、この係止フック５は冷蔵庫扉６の上端縁を巻き込むように引っ掛けて係合させる。さらに、図５におけるＹ−Ｙ線断面図である図７に示すように、情報端末２の保持位置における本体部３の右端には後方へコ字状に折曲する側部係止部である側部係止フック１４を一体成形により突出させ、この側部係止フック１４は冷蔵庫扉６の右側部の凹部１３にその先端部を挿入することで、冷蔵庫扉６の右端縁に引っ掛けて係合させる。
【００３７】
すなわち、冷蔵庫扉６にホルダー１を設置する場合、ホルダー１上端を冷蔵庫扉６の上面まで持ち上げて、コ字状の係止フック５を冷蔵庫扉６の上縁部に巻き込むように引っ掛けて懸架する。その後、ホルダー１を左にスライドさせて、冷蔵庫扉６右側部に設けた凹部１３に、側部係止フック１４のコ字状の先端部を挿入し、凹部１３の上端に側部係止フック１４の上端を、凹部１３の下端に側部係止フック１４の下端をそれぞれ接触させるようにして嵌め込む。
【００３８】
また、ホルダー１自体の冷蔵庫扉６からの取り外しについては、ホルダー１を右側にスライドさせ、凹部１３から側部係止フック１４の先端部を抜いた後に、ホルダー１下部あるいは受け部４を持って、ホルダー１を上方へ持ち上げて冷蔵庫扉６上端に引っ掛かっている係止フック５を外すことで、ホルダー１を取り外せばよい。
【００３９】
上記構成により、係止フック５、１４によって冷蔵庫扉６の端縁のうち上端縁と右端縁の２つの端縁に係合してホルダー１を保持しているため、１つの端縁のみに係合させた場合に比べて、上下左右及び前後方向への移動を起こしにくい。すなわち、上端縁のみに係合した場合には、冷蔵庫扉６の前面に対して水平な方向である左右方向へのスライド移動を抑制する機構を備えていないため、左右方向へのスライド移動を起こしやすいが、側部係止フック１４により冷蔵庫扉６の右端縁にも係合することで、少なくとも左方向へのスライド移動を抑制することができる。
【００４０】
さらに、一般的に係止フック５の係合位置である冷蔵庫扉６上端からホルダー１下端までの距離に比べて、側部係止フック１４の係合位置である冷蔵庫扉６の右端からホルダー１の左端までの距離の方が短いため、冷蔵庫扉６の開閉動作に伴ってホルダー１が冷蔵庫扉６の前面に対して垂直な方向である前後方向にたわみ、振動を引き起こすような場合に、右端縁にも係合することでホルダー１のたわみ量を小さくすることができるため、安定して情報端末２を保持することができる。
【００４１】
また、ホルダー１の保持に磁力を使用していないので、冷蔵庫扉６がガラスなどの非磁性材料からなる場合であっても、安定してホルダー１及び情報端末２を保持できる。
【００４２】
冷蔵庫扉６の回転軸１５ａに近い端縁に側部係止フック１４を備えているので、冷蔵庫扉６の開閉時の回転軸１５ａを起点とした遠心力を側部係止フック１４により受け止め、冷蔵庫扉６を閉じる際の衝撃を抑えることができる。また、扉を閉じる際の遠心力は回転軸１５ａを中心に外に向かう方向すなわち、冷蔵庫扉６の閉時には回転軸１５ａから左方向に向かう力が加わるため、側部係止フック１４によりホルダー１が左方向へ移動することを防止することで、情報端末２を安定して保持することができる。
【００４３】
ホルダー１に情報端末２を着脱する際など、使用者によって上下方向に大きな力を加えられた場合であっても、凹部１３に嵌め込まれた側部係止フック１４が凹部１３の上端及び下端に接触しており、ホルダー１の上下動を抑制するため、ホルダー１ごと冷蔵庫扉６からはずれ、落下してしまうといった事態を防ぐことができる。
【００４４】
ホルダー１を表面積の小さな冷蔵庫扉の前面中央部に配設する場合には、扉の回転軸１５ｂが冷蔵庫正面に向かって左側に位置するため、凹部１３を冷蔵庫扉の右側ではなく、回転軸１５ｂに近い左側に備え、ホルダー１の本体部３から上方向と左方向との両方向に係止フックを備え、冷蔵庫扉の上端縁と左側の端縁とに係合して、ホルダー１を所定箇所に安定して保持する。
【００４５】
以上説明した少なくとも１つの実施形態によれば、ガラスなどの非磁性体材料で形成される冷蔵庫扉６に対しても、磁力を使うことなく情報端末２を確実に設置することができる。
【００４６】
情報端末ホルダー１が冷蔵庫扉６に対して容易に着脱可能であるため、ホルダー１を冷蔵庫扉６に保持するために冷蔵庫扉６の前面を切り抜き、情報端末２を保持可能な空間部を設けるなど、冷蔵庫扉６に対して大掛かりな手を加える必要がない。
【００４７】
ホルダー１が使用者の手によって任意に着脱可能であるため、ホルダー１を使う必要がなくなった場合であっても、使用者がホルダー１を容易に取り外すことができる。
【００４８】
なお、上述した実施形態は、フレンチドアの最も大きな表面積を有している冷蔵庫扉６の前面中央部にホルダー１を設置した場合を例に説明を行ったが、表面積の小さな冷蔵庫扉の前面中央部に配設してもよい。
【００４９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１は情報端末ホルダー、２は情報端末、２ａは表示画面部、３は本体部、３ａは係止リブ、４は受け部、５は係止フック（係止部）、６は冷蔵庫扉、７は補強板、７ａは幅狭部、７ｂは段部、８はシート部材、９は上部押圧具、９ａは円弧状部、９ｂは係合片、１０はシャフト、１１はコイルバネ、１２はゴムシート、１３は凹部、１４は側部係止フック（側部係止部）、１５ａ、１５ｂは回転軸を示す。
【図１】
2014222122.tif 000003
【図２】
2014222122.tif 000004
【図３】
2014222122.tif 000005
【図４】
2014222122.tif 000006
【図５】
2014222122.tif 000007
【図６】
2014222122.tif 000008
【図７】
2014222122.tif 000009